(57)【要約】【課題】ＳＤＨデータ信号列を扱う回線切替装置において、運用中での保守によるインタフェース部または切替制御部の挿抜を行っても、不要な誤動作を行わせないことにある。【解決手段】現用及び予備インタフェース部８１は、ＳＤＨ信号列のアラーム情報と受信Ｋ１Ｋ２バイトと自インタフェース部の実装状態情報とインタフェース種別を含む第１のブロック情報を１本のシリアル信号上の前記実装位置に対応した時系列の場所に多重して受信側シリアル制御信号列１００として切替制御部８０に送出し、切替制御部８０は、現用及び予備インタフェース部８１から受信した第１のブロック情報を基に、同期パタンの後に、制御対象情報と制御有効情報と系選択情報と送信Ｋ１Ｋ２バイトを含む第２のブロック情報を各部毎に多重化し送信側シリアル制御信号列１１０として各部に送出する。【選択図】      図１
2004274241.tif 000002
【特許請求の範囲】
【請求項１】
ＳＤＨデータ信号列を扱いＳＯＨ内のＫ１Ｋ２バイトを用いた切替を行う回線切替装置において、
現用インタフェース部と、予備インタフェース部と、切替制御部と、前記切替制御部により前記現用または予備インタフェース部から出力されるＳＤＨデータ信号列のいずれかを選択しその選択したＳＤＨデータ信号列を下流の装置に対して出力する信号処理部と、を１つのシステムとして備え、
前記現用及び予備インタフェース部は、前記ＳＯＨから抽出した受信Ｋ１Ｋ２バイトと前記ＳＤＨデータ信号列の監視によるエラーを示すアラーム情報と自インタフェース部の実装位置を示す実装状態情報とを含む第１のブロック情報を１本のシリアル信号上の前記実装位置に対応した時系列の場所に多重して第１のシリアル制御信号列として切替制御部に送出する第１の送出手段を有し、
前記切替制御部は、前記現用及び予備インタフェース部から受信した前記第１のシリアル制御信号列から前記第１のブロック情報を基に回線の切替制御を行う切替制御手段とを、備えたことを特徴とする回線切替装置。
【請求項２】
前記１つのシステムを自装置内に複数備えることを特徴とする請求項１記載の回線切替装置。
【請求項３】
上流の装置から受信するＳＤＨデータ信号列を前記現用及び予備インタフェース部それぞれに送出し、前記現用または予備インタフェース部から出力されるＳＤＨデータ信号列のいずれかを選択しその選択したＳＤＨデータ信号列を上流の装置に送信する共通部を前記１つのシステムに備えることを特徴とする請求項１または２記載の回線切替装置。
【請求項４】
前記第１のブロック情報は、前記現用または予備インタフェース部がサポートするインタフェース種別を含み、
前記切替制御手段は、前記第１のシリアル制御信号列から抽出した切替の条件となる前記アラーム情報を予め決められた一定時間内に検出したとしても前記インタフェース種別に応じて切替の判断に使用するすることを特徴とする請求項１項記載の回線切替装置。
【請求項５】
前記第１のシリアル制御信号列は、前記第１のブロック情報を前記インタフェース部毎に多重化していることを特徴とする請求項１または４記載の回線切替装置。
【請求項６】
前記切替制御部は、フレームの先頭を表すフレーム同期パタンの後に、システムの識別を示す制御対象情報と、切替の制御の有効性の有無を示す制御有効情報と、現用系または予備系の選択を識別する系選択情報と、前記ＳＯＨに多重する送信Ｋ１Ｋ２バイト情報とを含む第２のブロック情報を被制御対象となる前記現用インタフェース部と前記予備インタフェース部と前記信号処理部とに分けて多重化し１本のシリアル信号に多重して第２のシリアル制御信号列として送出する第２の送出手段とを有することを特徴とする請求項１記載の回線切替装置。
【請求項７】
前記第２の送信手段は、前記第２のシリアル制御信号列に多重化された前記信号処理部の第２のブロック情報を前記共通部に割り当てその割り当てられた前記第２のシリアル制御信号列を前記共通部に送出することを特徴とする請求項６記載の回線切替装置。
【請求項８】
前記現用及び予備インタフェース部は、前記切替制御部から受信した前記第２のシリアル制御信号列から制御フレーム同期を確立し、前記実装位置情報を基に前記第２のシリアル制御信号列中の中で被制御対象となる自システムの自インタフェース部に該当する情報のみを抽出しその抽出した情報に基づき切替ＳＯＨ多重処理を行う多重処理手段を有することを特徴とする前記１記載の回線切替装置。
【請求項９】
前記多重処理手段は、受信した前記第２シリアル制御信号列から前記抽出した情報の中で前記制御有効情報の内容が有効であることを検出した場合のみ前記切替ＳＯＨ多重処理による送信Ｋ１Ｋ２バイトの更新を行うことを特徴とする請求項８記載の回線切替装置。
【請求項１０】
前記信号処理部は、受信した前記第２シリアル制御信号列から自システムに該当する信号処理部のブロック情報内の前記制御有効情報を抽出しその抽出した制御有効情報の内容が有効であることを検出した場合のみ自システムに該当する信号処理部の第２のブロック情報内の前記系選択情報に基づく切替処理を行う第１の切替手段を有することを特徴とする請求項８記載の回線切替装置。
【請求項１１】
前記共通部は、受信した前記第２シリアル制御信号列から自システムに該当する共通部の第２のブロック情報内の前記制御有効情報を抽出しその抽出した制御有効情報の内容が有効であることを検出した場合のみ自システムに該当する共通部の第２のブロック情報内の前記系選択情報に基づく切替処理を行う第１の切替手段を有することを特徴とする請求項９記載の回線切替装置。
【請求項１２】
前記第１の送出手段は、前記切替制御部から受信する第２のシリアル制御信号列の制御フレームの同期が確立した場合に自インタフェース部の実装位置情報から予め決められた時系列上の場所に前記第１のブロック情報を挿入して前記第１のシリアル制御情報を前記切替制御部に送出することを特徴とする請求項１記載の回線切替装置。
【請求項１３】
前記第１のシリアル制御信号に多重する各インタフェース部の第１のブロック情報は、検出有効情報を含み、
前記第１の送出手段は、前記切替制御部から受信する第２のシリアル制御信号列の制御フレーム同期確立で自インタフェース部の正常動作と判断し制御フレーム同期が確立している場合のみ自インタフェース部に該当する前記第１のブロック情報内の検出有効情報を有効にして前記第１のシリアル制御信号列に多重することにより受信先の前記切替制御部に同期が確立していることを知らせることを特徴とする請求項１記載の回線切替装置。
【発明の詳細な説明】
【０００１】
【発明の属する技術分野】
本発明は回線切替え装置に関し、特に、ＳＤＨ（Ｓｙｎｃｈｒｏｎｏｕｓ  Ｄｉｇｉｔａｌ  Ｈｉｅｒａｒｃｈｙ）データ信号列を扱いＳＯＨ（Ｓｅｃｔｉｏｎ  Ｏｖｅｒ  Ｈｅａｄ）内のＫ１Ｋ２バイトを用いた切替を行う回線切替装置に関する。
【０００２】
【従来の技術】
従来、ＳＤＨ（Ｓｙｎｃｈｒｏｎｏｕｓ  Ｄｉｇｉｔａｌ  Ｈｉｅｒａｒｃｈｙ）システムでは、伝送路の障害や機器の故障を救済するために冗長構成の装置を用いる事が多い。この方式の１つとして、ＭＳＰ（Ｍｕｌｔｉｐｌｅ  Ｓｅｃｔｉｏｎ  Ｐｒｏｔｅｃｔｉｏｎ）と呼ばれる方式があり、その仕様はＩＴＵ−Ｔ  Ｇ．７８３やＴＥＬＣＲＯＤＩＡ  ＧＲ−２５３−ＣＯＲＥ等で規定されている。ＭＳＰではＳＤＨ信号中のＳＯＨ（Ｓｅｃｔｉｏｎ  Ｏｖｅｒ  Ｈｅａｄ）内にあるＫ１、Ｋ２バイト及び回線劣化情報、機器障害情報等に基づいて切替制御を実施する。この場合の切替方式として、前記Ｋ１、Ｋ２バイトを用いて対向する装置と双方向の通信を行い、自局・対向局の装置が共に同一の系を選択する様に制御を行うＢｉ−Ｄｉｒｅｃｔｉｏｎａｌ方式と、対向する装置からのＫ１Ｋ２バイト情報に関わらず自局の障害検出結果に基づき切替を行うＵｎｉ−Ｄｉｒｅｃｔｉｏｎａｌ方式が存在し、更に、障害復旧時に優先度の高い現用系への切戻しを行う定位切替方式と現用／予備に優先度を設けず、障害が復旧しても切戻しを行わない無定位切替方式が存在する。また、ＭＳＰを実現する切替の構成としては、インタフェース部・伝送路を共に二重化するラインプロテクション方式と機器のみを二重化し対向装置との伝送路を一本とするユニットプロテクション方式に分類される。ラインプロテクションは主に光信号伝送路に用いられ、ユニットプロテクションは電気信号伝送路に用いられる。
【０００３】
従来のＳＤＨデータ信号列を扱いＳＯＨ内のＫ１Ｋ２バイトを用いた切替を行う回線切替装置として、例えば、特開２００２−１６４８６３号公報に開示されている。この特開２００２−１６４８６３号公報に関して、図面を参照して、従来の回線切替装置の動作を説明する。
【０００４】
図７を参照すると、ＳＤＨインタフェース部８１０および系選択部８１１は、回線毎に存在し、切替制御部８００は、全回線の切替え制御を行う。ＳＤＨインタフェース部８１０は、光伝送路の場合の光信号送受信用ユニットあるいは電気伝送路の場合の電気信号送受信用ユニットが実装され、これらのインタフェースユニットの種別に応じて識別信号９１０ｗ、９１０ｐを生成する。また、現用系／予備系それぞれに対応する伝送路９０１ｗ、９０１ｐから受信したＳＤＨ信号を監視し、エラーを検出したときはそのエラーの内容に応じて回線障害警報９１２ｗ、９１２ｐを生成し、さらに、受信したＳＤＨ信号のＭＳＯＨ（Ｍｕｌｔｉｐｌｅｘ  Ｓｅｃｔｉｏｎ  Ｏｖｅｒｈｅａｄ）バイトからＫ１、Ｋ２バイトを抽出した受信ＡＰＳバイト９１４ｗ、９１４ｐを出力するとともに、切替制御部８００からの送信ＡＰＳバイト９１７ｗ、９１７ｐを伝送路９０１ｗ、９０１ｐから受信したＳＤＨ信号中のＫ１、Ｋ２バイトに挿入する。一方、切替制御部８００は、回線障害警報９１２ｗ、９１２ｐ、受信ＡＰＳバイト９１４ｗ、９１４ｐ、及び識別信号９１０ｗ、９１０ｐを基に各回線の識別符号が挿入された切替制御信号を回線毎に多重化し切替信号９２２を生成しオンラインバス８０９へ出力する。系選択部８１１は、多重化された切替信号９２２に含まれる識別符号と予め設定された各回線固有の識別符号とを照合して一致した切替信号を切替信号９２２から抽出しその抽出した切替信号により信号路９０２ｗ、９０２ｐに多重されているＳＤＨ信号のいずれか一方選択して送信信号９０４を出力することで現用／予備の回線の切替を行う。
【０００５】
【特許文献１】
特開２００２−１６４８６３号公報
【０００６】
【発明が解決しようとする課題】
しかしながら、従来の特開２００２−１６４８６３号公報に記載の回線切替装置には、次のような問題があった。
【０００７】
第１の問題点は、メンテナンスなどの場合に誤った切替が発生する可能性があると言うことである。
【０００８】
図７の従来の回線切替装置において、切替制御部８００をメンテナンスの為に挿抜する場合を考える。まず、切替制御部８００を装置から抜き動作を停止すると、現用系または予備系を示す切替信号９２２に多重されている信号を基に現用系または予備系のいずれか一方を選択するようにしておりかつ切替制御部８００と系選択部８１１との接続が断たれるため、系選択部８１１内の選択回路で選択する系を決定する事が出来ず、誤った切替が発生する可能性があるという問題点がある。
【０００９】
また、切替制御部８００を挿入した場合には、切替制御部８００内の障害検出回路が回線障害警報９１２ｗ、９１２ｐに乗ったノイズなど（チャタリングによる）によって誤った回線障害警報を検出し、切替制御部８００が誤った回線障害警報に基づき切替信号９２２を生成することで不要な切替が発生する可能性があるという問題点がある。
【００１０】
また、ＳＤＨインタフェース部８１０の挿抜を行うと、チャタリングによるノイズ発生現象により動作が安定するまでの間、不要な回線障害警報を繰り返す可能性があり、これを切替制御部８００が誤った回線障害警報に基づき切替信号９２２を生成することで不要な切替が発生する可能性があるという問題点がある。
【００１１】
第２の問題点は、回線（システム）が増加すると装置構成が複雑になると言う事である。
【００１２】
その理由は、従来の回線切替装置では、インタフェース部ごとに識別信号、Ｋ１Ｋ２バイト、回路障害警報の各物理的な信号を切替制御部８００との間で独立にとって通信を行っているため、回線が増えると信号線が増大するという問題点および装置構成が複雑になるという問題点がある。
【００１３】
第３の問題点は、ＭＳＰ切替の構成によっては不要な切替が発生する可能性があると言う事である。
【００１４】
その理由は、ＭＳＰ切替ではＳＯＨ中のパリティビットから演算した回線劣化情報やＫ１Ｋ２バイトの状態に基づき切替を制御するが、現用／予備二つのインタフェース部８１０に対して１本ＳＤＨ信号をＳＤＨ信号９０１ｗ、９０１ｐを出力する共通部を設けた場合、一本の伝送路で伝送を行うユニットプロテクション方式の場合には、伝送路に障害が発生すると現用インタフェース部、予備インタフェース部のＳＯＨ終端回路が共に回線障害警報を検出する可能性がある。この時、各々の回線障害警報検出時間の誤差によって、いずれかの一方の回線障害警報が発生した時点で、切替制御部８００が回線切替警報を検出し切替が発生する事がある。しかし、１本の伝送路上で障害が発生した場合には、選択するインタフェース部を切替えても回線の救済は出来ないため不要な切替が発生する。この不要な切替を防ぐには切替構成によって回線障害検出時間などの切替条件を変更する必要があるため、複数のシステムを有し、かつ、ラインプロテクション、ユニットプロテクションが混在する装置構成を実現出来なかったり、実現可能な場合にも設定が煩わしく、作業者が設定を誤る可能性があると言う問題がある。
【００１５】
本発明の目的は、上記問題点を鑑み、運用中での保守によるインタフェース部または切替制御部の挿抜を行っても、不要な誤動作を行わせないことにある。
【００１６】
また、本発明の別の目的は、上記の問題点を鑑み、回線（システム）が増えてもインタフェース部と切替制御部との物理的なインタフェースを増やすことなくシンプルにすることにある。
【００１７】
【課題を解決するための手段】
上記目的を達成するために、本発明の回線切替装置は、ＳＤＨデータ信号列を扱いＳＯＨ内のＫ１Ｋ２バイトを用いた切替を行う回線切替装置において、現用インタフェース部と、予備インタフェース部と、切替制御部と、前記切替制御部により前記現用または予備インタフェース部から出力されるＳＤＨデータ信号列のいずれかを選択しその選択したＳＤＨデータ信号列を下流の装置に対して出力する信号処理部と、を１つのシステムとして備え、前記現用及び予備インタフェース部は、前記ＳＯＨから抽出した受信Ｋ１Ｋ２バイトと前記ＳＤＨデータ信号列の監視によるエラーを示すアラーム情報と自インタフェース部の実装位置を示す実装状態情報とを含む第１のブロック情報を１本のシリアル信号上の前記実装位置に対応した時系列の場所に多重して第１のシリアル制御信号列として切替制御部に送出する第１の送出手段を有し、前記切替制御部は、前記現用及び予備インタフェース部から受信した前記第１のシリアル制御信号列から前記第１のブロック情報を基に回線の切替制御を行う切替制御手段とを、備えたことを特徴としている。
【００１８】
更に、上記の回線切替装置において、前記１つのシステムを自装置内に複数備えることを特徴としている。
【００１９】
更に、上記の回線切替装置において、上流の装置から受信するＳＤＨデータ信号列を前記現用及び予備インタフェース部それぞれに送出し、前記現用または予備インタフェース部から出力されるＳＤＨデータ信号列のいずれかを選択しその選択したＳＤＨデータ信号列を上流の装置に送信する共通部を前記１つのシステムに備えることを特徴としている。
【００２０】
更に、上記の回線切替装置において、前記第１のブロック情報は、前記現用または予備インタフェース部がサポートするインタフェース種別を含み、前記切替制御手段は、前記第１のシリアル制御信号列から抽出した切替の条件となる前記アラーム情報を予め決められた一定時間内に検出したとしても前記インタフェース種別に応じて切替の判断に使用することを特徴としている。
【００２１】
更に、上記の回線切替装置において、前記第１のシリアル制御信号列は、前記第１のブロック情報を前記インタフェース部毎に多重化していることを特徴としている。
【００２２】
更に、上記の回線切替装置において、前記切替制御部は、フレームの先頭を表すフレーム同期パタンの後に、システムの識別を示す制御対象情報と、切替の制御の有効性の有無を示す制御有効情報と、現用系または予備系の選択を識別する系選択情報と、前記ＳＯＨに多重する送信Ｋ１Ｋ２バイト情報とを含む第２のブロック情報を被制御対象となる前記現用インタフェース部と前記予備インタフェース部と前記信号処理部とに分けて多重化し１本のシリアル信号に多重して第２のシリアル制御信号列として送出する第２の送出手段とを有することを特徴としている。
【００２３】
更に、上記の回線切替装置において、前記第２の送信手段は、前記第２のシリアル制御信号列に多重化された前記信号処理部の第２のブロック情報を前記共通部に割り当てその割り当てられた前記第２のシリアル制御信号列を前記共通部に送出することを特徴としている。
【００２４】
更に、上記の回線切替装置において、前記現用及び予備インタフェース部は、前記切替制御部から受信した前記第２のシリアル制御信号列から制御フレーム同期を確立し、前記実装位置情報を基に前記第２のシリアル制御信号列中の中で被制御対象となる自システムの自インタフェース部に該当する情報のみを抽出しその抽出した情報に基づき切替ＳＯＨ多重処理を行う多重処理手段を有することを特徴としている。
【００２５】
更に、上記の回線切替装置において、前記多重処理手段は、受信した前記第２シリアル制御信号列から前記抽出した情報の中で前記制御有効情報の内容が有効であることを検出した場合のみ前記切替ＳＯＨ多重処理による送信Ｋ１Ｋ２バイトの更新を行うことを特徴としている。
【００２６】
更に、上記の回線切替装置において、前記信号処理部は、受信した前記第２シリアル制御信号列から自システムに該当する信号処理部のブロック情報内の前記制御有効情報を抽出しその抽出した制御有効情報の内容が有効であることを検出した場合のみ自システムに該当する信号処理部の第２のブロック情報内の前記系選択情報に基づく切替処理を行う第１の切替手段を有することを特徴としている。
【００２７】
更に、上記の回線切替装置において、前記共通部は、受信した前記第２シリアル制御信号列から自システムに該当する共通部の第２のブロック情報内の前記制御有効情報を抽出しその抽出した制御有効情報の内容が有効であることを検出した場合のみ自システムに該当する共通部の第２のブロック情報内の前記系選択情報に基づく切替処理を行う第１の切替手段を有することを特徴としている。
【００２８】
更に、上記の回線切替装置において、前記第１の送出手段は、前記切替制御部から受信する第２のシリアル制御信号列の制御フレームの同期が確立した場合に自インタフェース部の実装位置情報から予め決められた時系列上の場所に前記第１のブロック情報を挿入して前記第１のシリアル制御情報を前記切替制御部に送出することを特徴としている。
【００２９】
更に、上記の回線切替装置において、前記第１のシリアル制御信号に多重する各インタフェース部の第１のブロック情報は、検出有効情報を含み、前記第１の送出手段は、前記切替制御部から受信する第２のシリアル制御信号列の制御フレーム同期確立で自インタフェース部の正常動作と判断し制御フレーム同期が確立している場合のみ自インタフェース部に該当する前記第１のブロック情報内の検出有効情報を有効にして前記第１のシリアル制御信号列に多重することにより受信先の前記切替制御部に同期が確立していることを知らせることを特徴としている。
【００３０】
【発明の実施の形態】
次に、本発明の第１の実施の形態について図面を参照して詳細に説明する。
【００３１】
図１は、本発明の実施の形態における回線切替装置内の構成の一例を示すブロック図である。図１において、１つ目のシステム（システム番号１で略称：ＳＹＳ１）は、現用インタフェース部８１−１ａ（略称：ＳＹＳ１−Ａ）と、予備インタフェース部８１−１ｂ（略称：ＳＹＳ１−Ｂ）と、信号処理部８３−１ｄ（略称：ＳＹＳ１−Ｄ）と、共通部８３−１ｃ（略称：ＳＹＳ１−Ｃ）とで構成され、切替に関する制御信号の抽出・生成を行う全システム（システム番号１，２、・・・）共通の切替制御部８０で構成される。なお、２つ目以降のシステム（システム番号２以降）は、システム番号１と同じ構成なので省略している。また、ＳＹＳ１−Ａ現用インタフェース部８１−１ａとＳＹＳ１−Ｂ予備インタフェース部８１−１ｂは同一の構成である。なお、以降の説明において、現用インタフェース部８１−１ａ、予備インタフェース部８１−１ｂ、共通部８２−１ｃ、および信号処理部８０−１ｃ内のブロックの説明の都合上、システム番号１の各部に付与された符号の後に−１ａ（１：システム番号、ａ：ブロック略称の下のＡ）、−１ｂ、−１ｃ、−１ｄをそれぞれ付与することで、システム番号およびブロックの識別を明確にする。また、信号についても、説明の都合上、どの部分の信号であるかを明確化するために、システム番号１内において、−１ａ、−１ｂ、−１ｃ、−１ｄを付与することがある。
【００３２】
図１内の対向装置（上流の装置）とは、ＡＰＳ（Ａｕｔｏｍａｔｉｃ  Ｐｒｏｔｅｃｔｉｏｎ  Ｓｗｉｔｃｈｉｎｇ）機能を有する装置のことで、例えば、本発明の回線切替装置、有線端局（ＭＵＸ）等である。また、図１内の次段（下流の装置）とは、ＡＰＳ（Ａｕｔｏｍａｔｉｃ  Ｐｒｏｔｅｃｔｉｏｎ  Ｓｗｉｔｃｈｉｎｇ）機能を有する装置のことで、例えば、本発明の回線切替装置、有線端局（ＭＵＸ）等である。なお、本発明の回線切替装置は、通常の伝送装置（中継）としての機能も有するが、本発明では説明を省略する。
【００３３】
まず、図１のＳＹＳ１−Ａの受信側では、図示しない対向装置からの受信ＳＤＨデータ信号列１０１をＳＹＳ１−Ｃ共通部の分岐回路４０−１ｃで分岐出力した受信現用ＳＤＨデータ信号列１０−１ａからＳＯＨ終端回路１−１ａでフレーム同期を確立し、ＳＯＨ中のパリティビットを演算して得られる回線劣化情報やフレーム同期はずれなどのアラームを表す抽出アラーム情報１２−１ａとＳＯＨ中のＫ１、Ｋ２バイトを抽出した抽出Ｋ１Ｋ２バイト１３−１ａとをＫ１Ｋ２送受信部５０−１ａに送出すると共に、終端現用ＳＤＨデータ信号列１１−１ａを選択回路３１−１ｄに送出する。
【００３４】
図１のＫ１Ｋ２送受信部５０−１ａでは、図２を参照すると、アラーム生成回路２−１ａで前記抽出アラーム情報１２−１ａを複数ビットの情報に変換し、アラーム情報１５−１ａを出力する。Ｋ１Ｋ２抽出回路３−１ａは、前記抽出Ｋ１Ｋ２バイト１３−１ａに保護をとった受信Ｋ１Ｋ２バイト１４−１ａを出力する。実装状態判定回路４−１ａは、インタフェース部８１が実装されたシステム番号や現用／予備などの位置を特定する情報を検出する回路で、外部から入力（例えば、クランプ値）される実装位置情報１９−１ａに基づきインタフェース部８１の実装位置を判断し、実装情報１６−１ａを生成出力する。インタフェース種別生成回路５−１ａは、光インタフェースや電気インタフェースなどインタフェース部８１の種類を特定する情報をインタフェース種別１７−１ａとして出力する。シリアル情報送受信部６−１ａでは、前記受信Ｋ１Ｋ２バイト１４−１ａ、前記アラーム情報１５−１ａ、前記実装情報１６−１ａ、前記インタフェース種別１７−１ａを入力し、後述するシリアル制御情報生成回路２２から出力される送信側シリアル制御信号列１１０のタイミングに従いシリアル情報に変換し、受信側シリアル制御信号列１００を出力する。
【００３５】
また、図１のＳＹＳ１−Ａの送信側では、後述するシリアル制御情報生成回路２２の送信側シリアル制御信号列１１０に多重された制御フレーム同期パタンから制御フレーム同期を確立し、前記実装情報１６−１ａに基づき生成されたタイミング信号を用いて、前記送信側シリアル制御データ信号列１１０から自インタフェース部８１に対する情報のみを抽出し、送信するＳＤＨデータ信号列中に多重する送信Ｋ１Ｋ２バイト１８−１ａをＳＯＨ多重回路７−１ａに出力する。ＳＯＨ多重回路７−１ａでは、図示しない前段からＳＹＳ−１Ｄ信号処理部８３−１ｄを経由して入力された受信データ信号列４３１に対して、前記送信Ｋ１Ｋ２バイト１８−１ａ及び所定のＳＯＨ信号を多重し、送信現用ＳＤＨデータ信号列２０−１ａとして出力する。
【００３６】
次に図１のＳＹＳ１−Ｂ側予備インタフェース部８１−１ｂにおける構成は、ＳＹＳ１−Ａ側現用インタフェース部と同様であるため説明を省略する。
【００３７】
次に図１のＳＹＳ１−Ｄ信号処理部８３では、現用インタフェース部８１−１ａからの終端現用ＳＤＨデータ信号列１１−１ａと予備インタフェース部８１−１ｂからの終端予備ＳＤＨデータ信号列１１−１ｂを選択回路３１−１ｄに入力し、後述する切替情報抽出部７０−１ｄ内の選択情報抽出回路３２−１ｄから出力される系選択情報４６−１ｄに従い、現用／予備いずれかのインタフェース部８１を選択し、送信データ信号列４０１を図示しない下流の装置（図１では次段）へ送出する。
【００３８】
図１の切替情報抽出部７０−１ｄは、制御フレーム同期回路３４−１ｄ、タイミング生成回路３３−１ｄ、選択情報抽出回路３２−１ｄから構成され、後述するシリアル制御情報生成回路２２の出力側シリアル制御信号列１１０から制御フレーム同期を確立し、外部から入力されるシステム番号４７−１ｄに従い前記出力側シリアル制御信号列１１０から自システムに対する情報のみを抽出し、シリアル制御信号列中に多重された制御有効情報が有効の場合のみ系選択情報４６−１ｄを更新して選択回路３１−１ｄに出力する。
【００３９】
次に共通部ＳＹＳ１−ｃは、装置構成に応じて設けられる回路で、受信側では１本の伝送路で伝送された受信ＳＤＨデータ信号列１０１を前記現用インタフェース部８１−１ａ及び予備インタフェース部８１−１ｂに分岐し、送信側では前記現用インタフェース部８１−１ａの送信現用ＳＤＨデータ信号列２０ー１ａ及び予備インタフェース部８１−１ｂの送信予備ＳＤＨデータ信号列２０ー１ｂのいずれかを選択後、送信ＳＤＨデータ信号列２０１として図示してない上流の装置（図１では対向装置）に出力する。
【００４０】
図１の選択回路３１−１ｃ及び切替情報抽出部７０−１ｃは、選択回路３１−１ｄ及び切替情報抽出部７０−１ｄと同一構成で、前記出力側シリアル制御信号列１１０から抽出・生成された系選択情報４６−１ｃに従い前記送信現用ＳＤＨデータ信号列２０ー１ａ及び前記予備インタフェース部の送信予備ＳＤＨデータ信号列２０ー１ｂのいずれかを選択し、送信ＳＤＨデータ信号列２０１を出力する。
【００４１】
次に図１の切替制御部８０は、受信情報抽出回路２１、シリアル制御情報生成回路２２、時分割切替制御回路２３から構成される。まず、受信情報抽出回路２１では、後述するシリアル制御情報生成回路２２から出力される送信側シリアル制御信号列１１０の出力タイミングに従い各システムのインタフェース部８１から送出される受信側シリアル制御信号列１００を受信し、シリアル制御情報生成回路２２で生成された抽出タイミング２２１に基づき各システムのインタフェース部８１で多重された情報からインタフェース種別１２０、実装情報１３０、検出有効情報１４０、アラーム情報１５０、受信Ｋ１Ｋ２バイト１６０を検出して時分割切替制御回路２３へ出力する。
【００４２】
図１の時分割切替制御回路２３では、受信情報抽出回路２１で抽出した情報に従い、システム毎に選択する系を決定し、出力するＳＤＨ信号列のＳＯＨに多重するＫ１、Ｋ２バイトを生成し、送信側シリアル制御信号列の先頭を表す制御フレーム同期パタン１７０、制御対象１８０、制御が有効で有ることを表す制御有効情報１９０、系選択情報２００、送信Ｋ１Ｋ２バイト２１０をシリアル制御情報生成回路２２に出力する。この場合の時分割切替制御回路２３は、現用系のインタフェース部８１−１ａから障害の報告（アラーム情報１５０）があると、系の切替の指示を行うために系選択情報を「予備系」に設定する。シリアル制御情報生成回路２２では、時分割切替制御回路２３の出力に従い、制御フレーム同期パタン及び全システムに対する系選択情報とＳＤＨ信号列中のＳＯＨに多重するＫ１Ｋ２バイトを１本のシリアルデータに変換し、送信側シリアル制御信号１１０として送出する。
【００４３】
図５を参照すると、図１の回線切替装置における切替制御部８０の受信側シリアル制御信号列１００及び送信側シリアル制御信号列１１０上の信号を時系列的に示しそれぞれの信号列内の構成を示す構成概略図である。以下に、図５について説明する。
【００４４】
図１の切替制御部８０内の時分割切替制御回路２２では、送信側シリアル制御信号列１１０の先頭を表す制御フレーム同期パタンに続いて、現用インタフェース部８１、予備インタフェース部８１、信号処理部８３及び共通部８２の順にシステム番号１からシステム番号ｎ（ｎは１，２，・・・の正の整数）までを１制御フレームとして時系列にシリアル制御信号１１０を生成し、これを繰り返す。図５の送信側シリアル制御信号列１１０の各システムに対する情報（本発明では、ブロック情報と呼ぶ）は、システム番号を示す制御対象、制御が有効であることを表す制御有効情報、選択するインタフェース部８１を決定する系選択情報、送信するＳＤＨ信号のＳＯＨに多重する送信Ｋ１Ｋ２バイトで構成される。（図５−（２））。
【００４５】
各システムのインタフェース部８１、信号処理部８３、共通部８２では、受信した送信側シリアル制御信号列から制御フレーム同期を確立し、外部から入力される実装情報１９（インタフェース部８１の場合）もしくはシステム番号４７（信号処理部８３及び共通部８２の場合）に従い自システムの被制御対象に対する制御情報のみを抽出すると共に、インタフェース部８１では、制御フレーム同期信号６５１と実装情報１９とに基づき受信側シリアル制御信号列１００を出力するタイミング（時系列上の場所）を決定し、インタフェース種別、実装情報、制御フレーム同期回路で同期が確立している事を示す検出有効情報、アラーム情報、受信Ｋ１Ｋ２バイトをブロック情報としてシリアル情報送受信部６でシリアル信号に変換して出力する事により、各インタフェース部８１から出力される受信側シリアル制御信号列１００が衝突することなく切替制御部８０の受信情報抽出回路２１に全システムのインタフェース部８１からの情報が送出される。（図５−（１））。
【００４６】
また、図５に示す通り、各制御対象に対する受信シリアル制御信号列１００と送信シリアル制御信号列１１０の長さを同一とし、受信シリアル制御信号列１００の１制御フレーム長と送信シリアル制御信号列１１０の１制御フレーム長を一致させることにより、各インタフェース部８１から出力される受信側シリアル制御信号列１００が衝突することなく全システムのインタフェース部８１からの情報を切替制御部８０の受信情報抽出回路２１に送出可能としている。
【００４７】
次に、図１〜図５を参照して、本発明の実施の形態の動作について詳細に説明する。
【００４８】
図１を参照すると、現用インタフェース部、予備インタフェース部、信号処理部以外に共通部を設けて機器の障害を救済するユニットプロテクション構成となっている。また、図３は、図１の実施の形態例におけるシリアル情報送受信部６の一実施の形態例を表す図であり、図１及び図３において、ＳＹＳ１−Ａ現用インタフェース部のシリアル情報送受信部６−１ａには、分岐回路４０−１経由でＳＯＨ終端回路１−１ａに入力された受信現用ＳＤＨデータ信号列１０−１ａのＳＯＨ信号から抽出し保護をとった受信Ｋ１Ｋ２バイト１４−１ａ、前記ＳＯＨ終端回路１−１ａで検出した抽出アラーム情報１２−１ａをアラーム生成回路２−１ａで複数ビットに変換したアラーム情報１５−１ａ、外部から与えられる実装位置情報１９−１ａに基づき実装位置を特定する実装情報１６−１ａ、電気インタフェースや光インタフェースなどの違いを特定する為のインタフェース種別１７−１ａと、後述するシリアル制御情報生成回路２２の出力側シリアル制御信号列１１０が入力される。シリアル情報送受信部６−１ａでは、制御フレーム同期回路６５−１ａで出力側シリアル制御信号列１１０の制御フレーム同期を確立し、タイミング生成回路６６−１ａで前記実装情報１６−１ａに従い、出力側シリアル制御信号列１１０に多重された情報から自インタフェース部８１に対する情報のみを抽出する為のタイミング信号６６１−１ａと、前記制御フレーム同期回路６５−１ａで同期が確立していることを表す検出有効情報６６２−１ａ、切替制御部８０に出力する受信側シリアル制御信号列１００の出力タイミングを決定する受信側タイミング６６３−１ａを生成し出力する。シリアル情報多重回路６４−１ａは、前記制御フレーム同期回路６５−１ａで制御フレーム同期が確立している場合に前記受信側タイミング６６３−１ａに従い前記受信Ｋ１Ｋ２バイト１４−１ａ、前記アラーム情報１５−１ａ、前記実装情報１６−１ａ、前記インタフェース種別１７−１ａ及び検出有効情報６６２−１ａを１本のシリアル信号に多重して受信側シリアル制御信号列１００として出力する。受信側シリアル制御信号列１００は、バス構造になっており、各システムのインタフェース部８１のシリアル情報送受信部６に入力される実装位置情報１９に従い受信側シリアル制御信号列１００の出力タイミング（時系列上の場所）を決定することで、各インタフェース部８１から出力される受信側シリアル制御信号列１００が衝突することなく切替制御部８０の受信情報抽出回路２１に情報が送出される。
【００４９】
切替制御部８０の受信情報抽出回路２１では、後述するシリアル制御情報生成回路２２の抽出タイミング信号２２１に従い受信側シリアル制御信号列１００中の情報を抽出し、インタフェース種別、実装情報、アラーム情報、受信Ｋ１Ｋ２バイト、検出有効情報を全システム分時分割に検出し、時分割切替制御回路２３に出力する。時分割切替制御回路２３では、各システムのインタフェース部８１からの情報に従い、システム番号、選択する系、出力するＳＤＨデータ信号列に多重するＫ１、Ｋ２バイト、出力する制御情報が有効であることを示す制御有効情報、出力側シリアル制御信号列の先頭を表す制御フレーム同期パタンを生成し、シリアル制御情報生成回路２２に出力する。シリアル制御情報生成回路２２では、前記時分割切替制御回路２３から時分割に出力される全システムに対する制御対象情報、制御が有効であることを表す制御有効情報、系選択情報、送信Ｋ１Ｋ２バイト及び出力側シリアル制御信号列の先頭を表すフレーム同期パタンを多重し、送信側シリアル制御信号列１１０として出力する。現用インタフェース部８１−１ａのシリアル情報送受信部６−１ａでは制御フレーム同期回路６５−１ａで制御フレーム同期を確立し、タイミング生成回路６６−１ａで実装情報１６−１ａに基づき生成したタイミング信号６６１−１ａに従い自インタフェース部８１に対する情報のみを抽出し、送信側シリアル制御信号列１１０中の制御有効情報が有効の場合にのみ出力するＳＤＨ信号列に多重する送信Ｋ１Ｋ２バイト１８−１ａを更新し出力する。ＳＯＨ多重回路７−１ａでは、信号処理部８３−１ｄ経由で入力された受信データ信号列４３１に前記１送信Ｋ１Ｋ２バイト１８−１ａ及び所定のＳＯＨ信号を多重し、送信現用ＳＤＨデータ信号列１０−１ａとして出力する。ＳＹＳ１−Ｂ予備インタフェース部については、前記ＳＹＳ１−Ａ現用インタフェース部と同一の動作となるので省略する。
【００５０】
信号処理部ＳＹＳ１−ｄの切替情報抽出部７０−１ｄでは、制御フレーム同期回路３４−１ｄが前記送信側シリアル制御信号列１１０から制御フレーム同期信号４４−１ｄと外部から入力（例えば、クランプ値）されるシステム番号４７−１ｄとに従って、タイミング生成回路３３が自信号処理部８３に対するタイミング信号４５を生成する。更に、生成されたタイミング信号４５に従って、選択情報抽出回路３２が自信号処理部８３に対する制御有効情報及び系選択情報を抽出し、制御有効情報が有効の場合に系選択情報４６−１ｄを更新し、選択回路３１−１ｄで選択するインタフェース部８１を決定する。
【００５１】
共通部ＳＹＳ１−Ｃの切替情報抽出部７０−１ｃは、前記信号処理部８３−１ｄの切替情報抽出部７０−１ｄと同一の回路であり、前記送信側シリアル制御信号列１１０及び外部から入力されるシステム番号４７−１ｃ（システム番号４７−１ｃと同じ値）に従い、自共通部８２に対する制御有効情報及び系選択情報を抽出し、制御有効情報が有効の場合に系選択情報４６−１ｃを更新し選択回路３１−１ｃで選択するインタフェース部８１を決定する。
【００５２】
次に、図１の回線切替装置において、切替制御部８０を回線切替装置から抜き動作を停止させると、制御フレーム同期パタンが送信側制御信号列１１０上に多重されないため、各システムの共通部８２、信号処理部８３では、制御フレーム同期回路での同期が確立しなくなり、動作停止前の系選択状態を保持する。この後、切替制御部８０を実装すると、切替制御部８０から出力する送信側シリアル制御信号列１１０に多重する制御有効情報を無効にしたままで制御フレーム同期パタンを多重することで送信側シリアル制御信号列１１０を出力する。この間、各システムの共通部８２、信号処理部８３では、制御フレーム同期が確立したとしても制御有効情報が無効になっているため、切替制御部８０を実装する前の状態を維持したままになっている。一方、各システムの現用及び予備インタフェース部８１では、送信側シリアル制御信号列１１０に制御フレーム同期パタンが多重された時点から制御フレーム同期を確立することになり、受信シリアル制御信号列１００が有効であることを表す検出有効情報と共に受信側シリアル制御信号列１００を切替制御部８０に出力する。切替制御部８０では、受信した受信側シリアル制御信号列１００から現在の状態を判断し、各システムで選択するインタフェース部８１（現用か予備かの選択）を決定後、送信側シリアル制御信号列１１０に多重する制御有効情報を有効状態にして出力する。各システムの現用及び予備インタフェース部８１では、送信側シリアル制御信号列１１０の制御情報に従い、送信ＳＤＨ信号のＳＯＨに多重するＫ１Ｋ２バイトを決定し、各システムの信号処理部８３、共通部８２では、送信側シリアル制御信号列１１０の制御情報に従い、選択する系を決定し、それぞれ通常運用状態に復帰する。また、インタフェース部８１を抜いた状態から実装した場合には、インタフェース部の実装後しばらくは、インタフェース部の動作が安定していないため、誤ったＫ１Ｋ２バイトを検出したり、アラーム情報が過渡的に発生・解除を繰り返したりする可能性があるが、インタフェース部８１の動作が安定するまでは送信側シリアル制御信号列１１０から制御フレーム同期を確立できないため、受信側シリアル制御信号列１００中の検出有効情報が有効とならず、切替制御部８０で誤った情報を検出する事がないので、不要な切替が発生する事は無い。
【００５３】
次に、構成の違う複数のシステムを有する場合の回線切替装置のブロック図を用いて、切替制御部８０及びインタフェース部８１をメンテナンスする場合の動作を説明する。図６は、本発明の回線切替装置の構成を示すブロック図であり、ＳＹＳ−１が現用インタフェース部８１−１ａ、予備インタフェース部８１−１ｂ以外に共通部８２−１ｃを設けて機器の障害を救済するユニットプロテクション構成、ＳＹＳ２が現用インタフェース部８１−２ａ、予備インタフェース８１−２ｂに対して現用回線、予備回線を用いて対向装置との通信を行うラインプロテクション構成の装置を表している。また、図６の現用インタフェース部８１−１ａ内，８１−２ａ内、予備インタフェース部８２−１ｂ，８２−２ｂ内、共通部８２−１ｃ内、信号処理部８３−１ｄ，８３−２ｄ内、切替制御部８０内の各構成は、図１に示した各ブロック内の構成と同一であるとする。
【００５４】
図６の回線切替装置において、切替制御部８０をメンテナンスの為に挿抜する場合を考える。まず、切替制御部８０を装置から抜き動作を停止すると、ＳＹＳ１−Ｃ共通部８２−１ｃ、ＳＹＳ１−Ｄ信号処理部８３−１ｄ、ＳＹＳ２−Ｄ信号処理部８３−２ｄでは、送信側シリアル制御信号列１１０から制御フレーム同期を確立出来なくなるので、系選択は動作停止前の状態を保持する。次に、切替制御部８０を実装した場合、まず、切替制御部８０から出力する送信側シリアル制御信号列１１０に多重する制御有効状態を無効として送出し、切替制御部８０を実装する前の状態を維持したまま送信側シリアル制御信号列１１０を出力する。各システムのインタフェース部８１では、前記送信側シリアル制御信号列１１０から制御フレーム同期を確立した時点で、受信シリアル制御信号列１００が有効であることを表す検出有効情報と共に受信側シリアル制御信号列１００を切替制御部８０に出力する。切替制御部８０では、受信した受信側シリアル制御信号列１００から現在の状態を判断し、各システムで選択するインタフェース部８１を決定し、送信側シリアル制御信号列１１０に多重する制御有効情報を有効状態にして出力する。各システムのインタフェース部８１、信号処理部８３、共通部８２では、送信側シリアル制御信号列の制御情報に従い、選択する系及び送信ＳＤＨ信号のＳＯＨに多重するＫ１Ｋ２バイトを決定し、通常運用状態に復帰する。
【００５５】
続いて、図６におけるＳＹＳ２の切替方式が障害復旧時に優先度の高い現用系への切戻しを行う定位切替方式である場合にＳＹＳ２−Ａ現用インタフェース部８１を抜いた状態から実装した場合を考えると、現用インタフェース部８１−２ａの実装直後は現用インタフェース部８１−２ａの動作が安定していないため、誤ったＫ１Ｋ２バイトを検出したり、アラーム情報が過渡的に発生・解除を繰り返す可能性がある。しかし、インタフェース部８１−２ａの動作が安定するまでは送信側シリアル制御信号列１１０の制御フレーム同期が確立しないため、受信側シリアル制御信号列１１０中の検出有効情報は無効状態となり、切替制御部８０で誤った情報を検出する事が無いので、不要な切替が発生する事が無い。
【００５６】
更に、切替構成に応じた系切替動作について説明する。図６は、ＳＹＳ１が現用インタフェース部８１−１ａ、予備インタフェース部８１−１ｂ以外に共通部８１−１ｃを設けて機器の障害を救済するユニットプロテクション構成、ＳＹＳ２が現用インタフェース部８１−２ａ、予備インタフェース８１−２ｂに対して現用回線、予備回線を用いて対向装置との通信を行うラインプロテクション構成となっており、ＳＹＳ１のインタフェース部８１−１には電気信号インタフェース、ＳＹＳ２のインタフェース部８１−２には光信号インタフェースが用いられているものとする。この場合、インタフェース部８１で生成されるインタフェース種別情報はＳＹＳ１とＳＹＳ２で異なる事になる。図６において、ＳＹＳ１に対向装置から入力される受信ＳＤＨデータ信号列１０１に障害が発生したとすると、ＳＹＳ１−Ａ現用インタフェース部８１−１ａ及びＳＹＳ１−Ｂ予備インタフェース８１−１ｂでは、それぞれアラームを検出し受信側シリアル制御信号に多重して切替制御部８０に送出する。切替制御部８０では、各インタフェース部８１−１ａ，８１−１ｂからのアラーム情報に基づき切替を制御するが、前記受信シリアル制御信号列１００に多重されたインタフェース種別からＳＹＳ１のインタフェース部８１が電気信号インタフェースで構成されている事を検出し、切替構成がユニットプロテクションであると判断する。そして、受信側シリアル制御信号列からＳＹＳ１−Ａ現用インタフェース部のアラーム情報を抽出した時点で直ちにＳＹＳ１−Ａ現用インタフェース部８１−１ａを障害と判断するのでは無く、ＳＹＳ１−Ｂ予備インタフェース部８１−１ｂのアラーム情報を抽出・比較してあらかじめ定められた一定時間内に同一のアラームを検出した場合には共通部８２−１ｃの故障と判断して切替を行わないように切替条件を変更する。また、ＳＹＳ２からの情報には光インタフェースを表すインタフェース種別が多重されているため、切替構成がラインプロテクション構成であると判断し、前述したＳＹＳ１の様に現用／予備インタフェースからのアラーム情報の検出に対する保護は行わず、アラームを検出した時点で切替を判断する事により、システム毎に切替構成が異なる場合にも、１つの切替制御部８０で切替構成に応じた制御を実施する事が可能になっている。
【００５７】
図１及び図６に説明した例においては、現用インタフェース部８１−１ａ、予備インタフェース部８１−１ｂ以外に共通部８２−１ｃを設ける事により機器の障害を救済するユニットプロテクション構成を実現しているが、インタフェース部８１のシリアル情報送受信部５０において、送信Ｋ１Ｋ２抽出回路６７と共に切替情報抽出部７０の選択情報抽出回路３２と同一の回路を設け、送信側シリアル制御信号列１１０から系選択情報を抽出し、送信現用ＳＤＨデータ信号列２０−１ａ及び送信予備ＳＤＨデータ信号列２０−１ｂの出力を直接排他的に制御して１本の伝送路に送信ＳＤＨデータ信号列２０１として出力する事により、共通部１−１ｃを設ける事無くユニットプロテクション構成で送信ＳＤＨデータ信号列２０１を送出する事が可能となる。
【００５８】
【発明の効果】
以上説明したように、本発明の第一の効果は、メンテナンス時に発生する誤切替を防ぐ事が出来ると言う事である。
【００５９】
その理由は、切替制御部８０をメンテナンスの為に挿抜する場合、まず、切替制御部が抜かれ動作が停止し、インタフェース部、信号処理部、共通部の各部で制御フレーム同期が確立できなくなった時点で前制御状態を保持し、切替制御部を挿入して動作を再開する場合には、送信側シリアル制御信号列に多重する有効情報を無効とする事で前制御状態を継続し、各システムのインタフェース部が送信側シリアル制御信号列から制御フレーム同期を確立した時点で受信側シリアル制御信号列が有効であることを表す検出有効情報と共に受信側シリアル制御信号列を切替制御部に出力することで、切替制御部では受信側シリアル制御信号列から最新の状態を判断して各システムで選択するインタフェースを決定する事が可能となり、不要な切替を発生させることなく通常運用状態に復帰出来るからである。また、インタフェース部をメンテナンスで挿抜する場合にも、インタフェース部が実装され動作が安定し送信側シリアル制御信号列から制御フレーム同期を確立するまで受信側シリアル制御信号列中の検出有効情報が無効となり、切替制御部で誤った情報を検出する事がないため、不要な切替の発生を防ぐ事が出来るからである。
【００６０】
本発明の第二の効果は、切替構成に応じた切替条件を自動的に変更でき、通常運用中の不要な切替を防ぐことが出来ると言う事である。
【００６１】
その理由は、受信側シリアル制御信号列にあらかじめ定められたインタフェースの種類を表すインタフェース種別を多重しておき、切替制御部８０でインタフェース種別から切替構成がユニットプロテクションであると判断し、現用／予備インタフェース部からのアラーム情報を抽出・比較してあらかじめ定められた一定時間内に同一のアラームを検出した場合には共通部の故障と判断して切替を行わないように制御を行っているからである。
第三の効果は、システム数が増加しても装置構成が複雑になるのを防ぐことが出来ると言う事である。
【００６２】
その理由は、受信側シリアル制御信号列と送信側シリアル制御信号列の１制御フレーム長を同一とし、送信側シリアル制御信号列のタイミングに従い受信側シリアル制御信号列を送出する事により、各システムのインタフェース部、信号処理部、共通部と切替制御部間の情報の受け渡し信号数を増やすことなく切替制御部で制御するシステム数を増やす事が出来るからである。
【図面の簡単な説明】
【図１】本発明の第１の実施の形態である回線切替装置内の構成例を示すブロック図である。
【図２】図１のＫ１Ｋ２送受信部内の構成例を示すブロック図である。
【図３】図２のシリアル情報送受信部内の構成例を示すブロック図である。
【図４】図１の切替情報抽出部内の構成例を示すブロック図である。
【図５】図１の受信側シリアル制御信号１００または送信側シリアル制御信号１１０に乗る制御フレーム内の構成例を示す構成概略図である。
【図６】複数のシステムを有する場合の回線切替装置内の構成例を示すブロック図である。
【図７】従来技術の回線切替装置内の構成を示すブロック図である。
【符号の説明】
１    ＳＯＨ終端回路
２    アラーム生成回路
３    Ｋ１Ｋ２抽出回路
４    実装状態判定回路
５    インタフェース種別生成回路
６    シリアル情報送受信部
７    ＳＯＨ多重回路
２１    受信情報抽出回路
２２    シリアル制御情報生成回路
２３    時分割切替制御回路
３１    選択回路
３２    選択情報抽出回路
３３    タイミング生成回路
３４    制御フレーム同期回路
４０    分岐回路
７０    切替情報抽出部
８０，８００    切替制御部
８１，８１０    インタフェース部
８２    共通部
８３    信号処理部
８１１    系選択部
【図１】
2004274241.tif 000003
【図２】
2004274241.tif 000004
【図３】
2004274241.tif 000005
【図４】
2004274241.tif 000006
【図５】
2004274241.tif 000007
【図６】
2004274241.tif 000008
【図７】
2004274241.tif 000009